(57)【特許請求の範囲】
【請求項１】
格子状に施設された法枠に固定される植栽用土留棚であって、
線材から格子状に形成され、
前記法枠における横枠材の前面、及び該横枠材と縦枠材とが交差する交差部分の前面を覆うように、横方向に連続して取付けられる覆い部と、
該覆い部の上端から斜め上方に延設され、植生土を貯留する土留部と
を具備し、
前記横枠材及び前記交差部分の前面に通水性マットを介装して取付けられることを特徴とする植栽用土留棚。
【請求項２】
格子状に施設された法枠における、前記横枠材及び前記交差部分の前面に、請求項１に記載の植栽用土留棚を、前記通水性マットを介して取付ける取付工程と、
前記植栽用土留棚の前記土留部、前記横枠材の上面、及び法面によって囲まれた第一空間と、前記土留部、及び前記縦枠材の前面によって囲まれた第二空間とに植生土を充填する充填工程と、
前記横枠材及び前記縦枠材によって囲まれた前記法面に対して、植生基材を吹付ける吹付工程と、
前記植生土に植物を植付ける植栽工程と
を行い、前記植生基材の吹付け及び前記植物の植栽により前記法面及び前記法枠を緑化させることを特徴とする緑化工法。
【請求項３】
前記植生基材は、有機系人工土壌に砂壌土を含ませてなり、消石灰、半水石膏、及び明ばん石粉を主成分とする無機固化材をさらに含有させることを特徴とする請求項２に記載の緑化工法。
【請求項４】
前記法面にモルタル層又はコンクリート層が形成されている場合、前記吹付工程の前処理として、前記モルタル層又はコンクリート層を貫通する複数の貫通孔を穿設する穿設工程を行うことを特徴とする請求項２または請求項３に記載の緑化工法。
【発明の詳細な説明】
【０００１】
【発明の属する技術分野】
本発明は、植栽用土留棚、及び緑化工法に関するものであり、特に、格子状の法枠が既設された法面において、植物を植栽するために取付けられる植栽用土留棚、及びそれを用いて法面及び法枠を緑化する緑化工法に関するものである。
【０００２】
【従来の技術】
山間部における道路脇の斜面や、土木工事によって形成されたダムサイド等の法面では、法枠が施設される場合がある。法枠は、横枠材と縦枠材とから格子状に形成され、傾斜地の表面を強化している。さらに、急勾配の法面では、転石、岩、礫の崩落を防止するため、コンクリート（またはモルタル）が吹付けられることもある。つまり、法枠の格子内をコンクリート（またはモルタル）によって閉鎖し、全面をコンクリート擁壁（またはモルタル擁壁）として形成するものである。
【０００３】
ところが、このように構築された法面は、コンクリート（またはモルタル）が剥き出しとなることから、外観上周辺の自然環境にそぐわず不自然な景観となっていた。そこで、法面の緑化を図るため、法枠の格子内に植生基材を吹付けるようにすることが行われている。しかし、コンクリート（またはモルタル）で覆われている法面では、植生基材を定着させることができず、生育基盤（吹付けられた植生基材）を永続的に保つことが困難であった。また、法枠の格子内の空間、すなわち植生基材を充填することが可能な容積は限られており、且つ容積が比較的少ないことから、大きな植物を植栽することができなかった。特に、法面が急勾配の場合には、容積が極めて少なくなることから、緑化の困難性が助長されていた。
【０００４】
そこで、法枠の格子内に植栽ポットを形成するようにしたものがある。具体的には、下側に配設された横枠材及び左右に配設された縦枠材から土留壁を立設し、上面が開放された植栽ポットを形成するものである。これによれば、法枠から前方に突出するように植栽ポットが形成されるため、植生基材を充填する容積が増え、植物を植栽することも可能になる。
【０００５】
【発明が解決しようとする課題】
しかし、上記の工法では、法枠における各格子内の空間、すなわち縦枠材と横枠材とによって囲まれた空間に対して、植栽ポットが形成されることから、植栽された植物によって空間内が緑化されても、法枠を構成する縦枠材及び横枠材は、依然として剥き出しのままであり、法枠が緑化するまで、すなわち植物が繁茂するまでには、長い年月を要していた。つまり、植物が生い茂る中で法枠のみが露出されることから、長期に亘って自然の景観を損ない見栄えを低下させるという課題が残されていた。
【０００６】
また、従来の工法では、植栽ポットを形成するにあたって、下側に配設された横枠材及び左右に配設された縦枠材の三面の枠材から夫々土留壁を立設しなければならず、しかも各格子毎に形成する必要があることから、植栽ポットの構造が複雑になり、施工のやり難さから施工作業者の負担が大きくなっていた。また、言うまでもないが、個々の植栽ポット毎に側面を覆う土留壁が必要となることから、製造コストが比較的高くなっていた。
【０００７】
さらに、従来の植栽ポットは、格子内の空間に対して取付けられるため、既設された法枠において、隣合う縦枠材同士の間隔が、設計寸法より短い場合には、植栽ポットを取付けることができず、一方、設計寸法より長い場合には、土留壁と縦枠材との間に隙間が生じ見栄えを損う恐れがあった。換言すると、縦枠材同士の間隔が設計寸法と一致していても、植栽ポットの加工寸法にバラツキがある場合には、植栽ポットを取付けることができなくなる恐れがあることから、比較的高い加工精度が要求され、製造コストを低減させることが困難であった。
【０００８】
そこで、本発明は、上記の実情に鑑み、法枠の露出を防ぐことにより景観を向上させ、しかも、製造コストの低減、及び施工作業者の負担の軽減を実現できる植栽用土留棚の提供を第一の課題とし、その植栽用土留棚を用いて法面全体を緑化する緑化工法の提供を第二の課題とする。
【０００９】
【課題を解決するための手段】
請求項１の発明にかかる植栽用土留棚は、格子状に施設された法枠に固定される植栽用土留棚であって、線材から格子状に形成され、前記法枠における横枠材の前面、及び該横枠材と縦枠材とが交差する交差部分の前面を覆うように、横方向に連続して取付けられる覆い部と、該覆い部の上端から斜め上方に延設され、植生土を貯留する土留部とを具備し、前記横枠材及び前記交差部分の前面に通水性マットを介装して取付けられるものである。
【００１０】
ここで、覆い部及び土留部は、一体的に形成しても良く、別部材として形成したものを組付けるようにしてもよい。
【００１１】
したがって、請求項１の発明の植栽用土留棚によれば、覆い部によって、法枠における横枠材の前面及び交差部分の前面を連続して覆うことが可能になる。なお、この際、一枚の覆い部によって実現してもよく、複数又は多数枚の覆い部を横方向に並設させることにより実現してもよい。そして、覆い部の上端から斜め上方に土留部が延設されていることから、土留部、横枠材の上面、及び法面によって囲まれた空間に植生土を充填することが可能になる。このとき、土留部も横方向に連続して形成されているため、土留部及び縦枠材の前面によって囲まれた空間にも、植生土を充填することが可能になる。つまり、縦枠材と相対する位置に植物を植栽することが可能になる。
また、植栽用土留棚と横枠材及び交差部分との間に通水性マットが介装される。これにより、植栽用土留棚を格子状に形成するにも拘わらず、植生土の流出が阻止され、しかも、植生土に含まれる水分（雨水等）を外部へ排出することが可能となる。また、通水性マットによって横枠材の地肌が見えなくなる。
【００１２】
請求項２の発明にかかる緑化工法は、格子状に施設された法枠における、前記横枠材及び前記交差部分の前面に、請求項１に記載の植栽用土留棚を、前記通水性マットを介して取付ける取付工程と、前記植栽用土留棚の前記土留部、前記横枠材の上面、及び法面によって囲まれた第一空間と、前記土留部、及び前記縦枠材の前面によって囲まれた第二空間とに植生土を充填する充填工程と、前記横枠材及び前記縦枠材によって囲まれた前記法面に対して、植生基材を吹付ける吹付工程と、前記植生土に植物を植付ける植栽工程とを行い、前記植生基材の吹付け及び前記植物の植栽により前記法面及び前記法枠を緑化させるものである。
【００１３】
したがって、請求項２の発明の緑化工法によれば、まず、取付工程として、植栽用土留棚を法枠に固定する。つまり、覆い部によって横枠材及び交差部分の前面が覆われ、土留部によって横枠材及び交差部分の上方に植栽ポットが形成されるように、植栽用土留棚を取付ける。その後、充填工程として、植栽用土留棚の土留部、横枠材の上面、及び法面によって囲まれた第一空間に植生土を充填する。この際、土留部が横方向に連続して形成されているため、土留部及び縦枠材の前面によって囲まれた第二空間にも、植生土が充填される。
【００１４】
さらに、吹付工程として、横枠材及び縦枠材によって囲まれた法面に対して植生基材を吹付ける。これにより、格子内の法面全体を緑化することが可能になる。なお、充填工程と吹付工程との順番は逆であっても構わない。そして最後に、植栽工程として、植生土に植物を植付ける。これにより、植物の植栽が可能になり、法面を緑化することが可能になる。特に、土留部及び縦枠材の前面によって囲まれた第二空間に、植物を植えるようにすれば、植物の成長によって縦枠材が覆われるようになる。
【００１５】
請求項３の発明にかかる緑化工法は、請求項２に記載の緑化工法において、前記植生基材は、有機系人工土壌に砂壌土を含ませてなり、消石灰、半水石膏、及び明ばん石粉を主成分とする無機固化材をさらに含有させるものである。
【００１６】
したがって、請求項３の発明の緑化工法によれば、請求項２の発明の作用に加え、植生基材は、無機固化材との反応により施工面が急速に硬化し、長期に亘って固化状態が持続するため、安定した生育基盤を形成することができる。
【００１７】
請求項４の発明にかかる緑化工法は、請求項２または請求項３に記載の緑化工法において、前記法面にモルタル層又はコンクリート層が形成されている場合、前記吹付工程の前処理として、前記モルタル層又はコンクリート層を貫通する複数の貫通孔を穿設する穿設工程を行うものである。
【００１８】
したがって、請求項４の発明の緑化工法によれば、請求項２または請求項３の発明の作用に加え、穿設工程として、モルタル層又はコンクリート層を貫通する複数の貫通孔を穿設する。これにより、貫通孔を介して、植物の根系における地山への伸長が可能になる。
【００２１】
【発明の実施の形態】
以下、本発明の一実施形態である植栽用土留棚１、及びそれを用いた法枠及び法面の緑化工法について、図１乃至図４に基づき説明する。図１は植栽用土留棚１が施設された法面の構成を示す正面図であり、図２及び図３は図１におけるＡ−Ａ断面図、及びＢ−Ｂ断面図である。図４は植栽用土留棚１の構成を示す拡大正面図である。本実施形態の植栽用土留棚１は、格子状の法枠２が既設された法面３において、植物を植栽するために取付けられるものである。
【００２２】
法枠２は、道路脇の斜面やダムサイド等の法面３において、傾斜地表面を強化するために施設されたものであり、複数の横枠材４と複数の縦枠材５とから格子状に形成されている。なお、法枠２の大きさは特に限定されるものではないが、隣合う横枠材４同士の間隔及び縦枠材５同士の間隔が共に例えば２ｍ、横枠材４及び縦枠材５の幅が例えば０．３ｍ、横枠材４及び縦枠材５の奥行（高さ）が例えば０．３ｍの法枠２が一般に知られている。また、横枠材４及び縦枠材５によって囲まれた格子内の法面３には、転石、岩、礫の崩落を防止するため、モルタルの吹付けによるモルタル層７が形成されている。
【００２３】
このような法面３に対して取付けられる植栽用土留棚１は、図４に示すように、線材から構成された網目状の部材であり、表面に防錆処理が施されている。この植栽用土留棚１は、図２及び図３に示すように、高さ方向の略中央を境界として、覆い部８及び土留部９に分かれており、全体的に縦断面が「く」の字形の形状を呈している。覆い部８は、法枠２の横枠材４及び交差部分６の前面を覆うことが可能な大きさに設定されている。すなわち、覆い部８は、その高さＨが、横枠材４及び交差部分６の幅Ｌ（例えば０．３ｍ）と略一致しており、複数の植栽用土留棚１を横方向に並設することにより、法枠２の横枠材４及び交差部分６の前面を連続して覆うことができるようになっている。なお、覆い部８は、横枠材４の前面に締結されるアンカーボルト１０によって固定されている。
【００２４】
土留部９は覆い部８の上端から斜め上方に延設された形で設けられており、横枠材４の上面４ａ及びモルタル層７との協働により、第一空間Ｓ１（図２参照）を形成している。また、土留部９は、横方向に連続して形成されているため、縦枠材５との協働により、第二空間Ｓ２（図３参照）を形成している。
【００２５】
次に、植栽用土留棚１を用いた緑化工法について説明する。まず、穿設工程として、モルタル層７を貫通する複数の貫通孔１２を穿設する。これにより、貫通孔１２を介して、植物の根系における地山Ｔへの伸長が可能になる。なお、この貫通孔１２に保水袋を埋設するようにしてもよい。保水袋には、無質土壌、土壌改良材、及び保水剤等が収容されており、水分を保つことによって地山への根系の伸長を誘導することができる。次に、モルタル層７にストッパー１３を二つ取付ける。ストッパー１３は、生育基盤の滑落を防止するものであり、モルタル層７に対して垂設される網状の立壁部１４と、立壁部１４の根元から垂直方向に折曲げられた取付部１５と、取付部１５を通してモルタル層７に締結されたアンカーボルト１６とから構成されている。なお、本実施形態では、下側のストッパー１３ｂにおける立壁部１４の長さが、上側のストッパー１３ａより長くなるように設計されている。
【００２６】
次に、取付工程として、植栽用土留棚１を法枠２に取付ける。つまり、覆い部８によって横枠材４及び交差部分６の前面が覆われ、土留部９によって横枠材４及び交差部分６の上方に植栽ポットが形成されるように、植栽用土留棚１を取付ける。なお、この取付工程では、植栽用土留棚１と横枠材４及び交差部分６との間に通水性マット等１７（例えばヤシマット）を介装する。
【００２７】
その後、充填工程として、植栽用土留棚１の土留部９、横枠材４の上面４ａ、及びモルタル層７によって囲まれた第一空間Ｓ１に客土１８を充填する。この際、土留部９が横方向に連続して形成されているため、土留部９及び縦枠材５の前面によって囲まれた第二空間Ｓ２にも、客土１８が充填される。ここで、客土１８が本発明の植生土に相当する。なお、客土１８の代わりに人工土壌を利用してもよい。なお、植物の成長を促進するため、客土１８又は人工土壌に肥料等を混合させることが好ましい。
【００２８】
さらに、吹付工程として、客土１８の上方のモルタル層７に対して植生基材１９を吹付ける。詳細には、上下に配設された二つのストッパー１３の先端位置が埋もれるように、すなわち、下側ほど吹付層が厚くなるように、植生基材１９を吹付ける。この植生基材１９は、有機系人工土壌（伐採した木材を破砕してチップ化し、さらに堆肥化したもの）に、良質砂壌土（ダム湖等の堆積土や建設発生土等を乾燥させ、篩にかけて粒の大きさを揃えたもの）を例えば略３０％含ませたものであり、透水性及び保水性を有する無機固化材と混合させ、水と反応させながら吹付けることにより、永続性のある強固な安定した生育基盤層を形成することができる。なお、無機固化材は、消石灰、半水石膏、及び明ばん石粉を主成分とするものであり、化学的にその強度を向上させるために、アルミナやシリカを多く含んだ産業副資材（フライアッシュ，クリンカアッシュ，製紙灰，又は鋳物砂等）が含有されている。また、植生基材１９は、植物の種子及び肥料等を含んでおり、この植生基材１９を生育基盤として植物を植栽することが可能である。この吹付工程により、モルタル層７全体を緑化することが可能になる。そして最後に、植栽工程として、客土１８に比較的背の低い苗木２０及び蔦２１を植え付ける。これにより、苗木２０及び蔦２１の植栽が可能になる。ここで、苗木２０及び蔦２１が本発明の植物に相当する。
【００２９】
このように、上記の植栽用土留棚１を用いた場合、横枠材４及び交差部分６は、覆い部８によって覆われるため、横枠材４のコンクリートが剥き出しになることはない。また、土留部９及び縦枠材５の前面によって囲まれた第二空間Ｓ２に、苗木２０及び蔦２１を植えるようにすれば、苗木２０及び蔦２１の成長によって縦枠材５が覆われるようになる。このため、比較的短い期間において、法枠２及びモルタル層７全体を緑化でき、景観を向上できる。また、植栽用土留棚１は、極めて簡単な構成であるため、製造コストを大幅に低減でき、しかも施工作業者の負担も軽減できる。
【００３０】
また、本実施形態では、貫通孔１２を介して、植物の根系における地山Ｔへの伸長が可能になることから、地山Ｔから水分や酸素を供給することが可能になり、植生の永続性を確保できる。また、植物の根系により、老朽化した傾斜地表面の強度を高めることができる。
【００３１】
さらに、本実施形態では、通水性マット１７によって、客土１８の流出が阻止され、しかも、客土１８に含まれる水分を外部へ排出することが可能となる。このため、雨水が溜まることなく、客土１８を良好な状態に維持できる。さらに、例えば植栽用土留棚１の表面に蔦２１を這わせた場合には、通水性マット１７を介して蔦２１に水分を補給することが可能になる。
【００３２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３３】
すなわち、上記実施形態では、法枠２の横枠材４に沿って複数の植栽用土留棚１を並設するものを示したが、法枠２の横幅に相当する大きさの植栽用土留棚１を形成し、一枚の植栽用土留棚１によって全ての横枠材４及び交差部分６の前面を覆うようにしてもよい。ただし、植栽用土留棚１を適度の長さに加工することにより、運搬または取扱において有利となる。
【００３４】
【発明の効果】
以上のように、請求項１の発明の植栽用土留棚は、法枠における横枠材の前面及び交差部分の前面を連続して覆うことができるため、横枠材及び交差部分の地肌を見えなくすることができる。また、縦枠材と相対する位置に植物を植えることが可能になることから、植物の成長に伴い縦枠材を覆い、縦部材の地肌を見え難くすることができる。また、従来のものと比較して極めて簡単な構成であるため、製造コストを大幅に低減でき、しかも施工作業者の負担も軽減できる。さらに、通水性マットによって、植生土の流出が阻止され、しかも、植生土に含まれる水分を外部へ排出することが可能となる。このため、雨水が溜まることなく、植生土を良好な状態に維持できる。
【００３５】
請求項２の発明の緑化工法は、法面において植栽することが可能になる。また、植栽用土留棚によって横枠材及び交差部分の地肌を見えなくすることができる。さらに、縦枠材と相対する位置に植物を植えることにより、縦部材の地肌を見え難くすることができる。このため、比較的短い期間において、法枠及び法面全体を緑化でき、景観を向上できる。
【００３６】
請求項３の発明の緑化工法は、請求項２の発明の効果に加えて、植生基材が急速に硬化し、長期に亘って固化状態が持続されることから、森林化を見据えた恒久的な生育基盤を形成することができる。
【００３７】
請求項４の発明の緑化工法は、請求項２または請求項３の発明の効果に加えて、貫通孔を介して、植物の根系における地山への伸長が可能になることから、地山から水分や酸素が供給され、植生の永続性を確保できる。
【図面の簡単な説明】
【図１】本発明の一実施形態である植栽用土留棚が施設された法面の一部を示す正面図である。
【図２】図１におけるＡ−Ａ断面図である。
【図３】図１におけるＢ−Ｂ断面図である。
【図４】本発明の一実施形態である植栽用土留棚の構成を示す拡大正面図である。
【符号の説明】
１  植栽用土留棚
２  法枠
３  法面
４  横枠材
５  縦枠材
６  交差部分
７  モルタル層
８  覆い部
９  土留部
１２  貫通孔
１７  通水性マット
１８  客土（植生土）
１９  植生基材
２０  苗木（植物）
２１  蔦（植物）
Ｓ１  第一空間
Ｓ２  第二空間
【図１】
0003935694.tif 000002
【図２】
0003935694.tif 000003
【図３】
0003935694.tif 000004
【図４】
0003935694.tif 000005